(57)【要約】【課題】作業者に熟練が要求されることなく、簡単且つ短時間内に増毛用毛髪材を取り付けることができるとともに、洗髪時においても増毛用毛髪材が抜けることを有効に防止することができる新規な増毛用毛髪材の取付方法及び増毛用毛髪材取付具を提供する。【解決手段】ゴム又は樹脂を主成分としてなり管状に成形された増毛用毛髪材取付具１内に、該増毛用毛髪材取付具１の一端側から自毛３を挿通させる自毛挿通工程と、上記増毛用毛髪材取付具１内に、該増毛用毛髪材取付具１の他端側から増毛用毛髪材２を挿通させる毛髪材挿通工程と、上記自毛挿通工程及び毛髪材挿通工程の後に、上記増毛用毛髪材取付具１を加熱し該取付具を収縮させる加熱工程と、を含んでなるとともに、上記増毛用毛髪材取付具１の内周面には、先端側が屈曲してなる多数の起毛１４が形成されてなる。【選択図】  図７
2005036336.tif 000002
【特許請求の範囲】
【請求項１】
ゴム又は樹脂を主成分としてなり管状に成形された増毛用毛髪材取付具内に、該増毛用毛髪材取付具の一端側から自毛を挿通させる自毛挿通工程と、上記増毛用毛髪材取付具内に、該増毛用毛髪材取付具の他端側から増毛用毛髪材を挿通させる毛髪材挿通工程と、上記自毛挿通工程及び毛髪材挿通工程の後に、上記増毛用毛髪材取付具を加熱し該取付具を収縮させる加熱工程と、を含んでなるとともに、
上記増毛用毛髪材取付具の内周面には、先端側が屈曲してなる多数の起毛が形成されてなることを特徴とする増毛用毛髪材の取付方法。
【請求項２】
前記増毛用毛髪材は、複数本の増毛用毛髪の一端が接着剤により収束されてなることを特徴とする請求項１記載の増毛用毛髪材の取付方法。
【請求項３】
前記増毛用毛髪材取付具の内周面には、前記起毛が形成されてなる部位と、接着層が形成されてなる部位とを有してなることを特徴とする請求項１又は２記載の増毛用毛髪材の取付方法。
【請求項４】
ゴム又は樹脂が主成分とされ管状に成形されてなるとともに、内側に自毛と増毛用毛髪材が挿通される管体と、
この管体の内周面から該管体の中心方向に起立してなるとともに、先端は屈曲してなる多数の起毛と、を備え、上記管体は、加熱されることにより収縮することを特徴とする増毛用毛髪材取付具。
【請求項５】
前記管体の内周面には、前記起毛が形成されている部位と、接着層が形成されている部位とを有してなることを特徴とする請求項４記載の増毛用毛髪材取付具。
【請求項６】
前記起毛は前記管体の一端から他端に亘って形成されてなることを特徴とする請求項４又は５記載の増毛用毛髪材取付具。
【発明の詳細な説明】
【０００１】
【発明が属する技術分野】
本発明は、所謂ヘアーエクステンションと称される増毛用毛髪材を自毛に取り付けるために使用される増毛用毛髪材の取付方法及びこの増毛用毛髪材の取付方法に使用される増毛用毛髪材取付具に関するものである。
【０００２】
【従来の技術】
従来、頭髪の長さを外見上伸長させる方法として、増毛用毛髪材を自毛に取り付ける方法が知られている。この増毛用毛髪材を自毛に取り付ける方法としては、例えば、特開２００２−２０９２２号に開示された方法がある。この方法は、地肌から複数本の自毛を取り分けて束ねた自毛束と、複数本の人工毛髪用繊維を束ねた人工毛髪用繊維束とを交差させ、前記自毛束と前記人工毛髪用繊維束との交差部の左右の位置で前記自毛を前記人工毛髪用繊維に少なくとも１回転ずつ巻き付ける巻付け工程と、前記自毛束の先端側及び前記人工毛髪用繊維束の両端側を前記交差部付近で編み合せる編み合せ工程と、前記人工毛髪用繊維束の一部を取り分けて編み合せ部分に巻き付けた後、熱融着させる融着工程と、を有するものである。
【０００３】
【発明が解決しようとする課題】
しかしながら、上述した従来の増毛用毛髪材の取付方法では、自毛を人工毛髪用繊維束に巻付ける工程や、自毛束の先端側及び前記人工毛髪用繊維束の両端側を前記交差部付近で編み合せる工程は、熟練を必要とし、簡単且つ短時間に増毛用毛髪材を取り付けることはできない。なお、こうした従来の増毛用毛髪材の取付方法を改善するために、金属製の管体に上記自毛と増毛用毛髪材とを挿通し、その後にペンチ等の器具を使用して該管体を圧縮し変形させることによって、上記自毛に増毛用毛髪材を取り付ける方法が考えられる。しかし、この方法によれば、上記管体を強く圧縮しても、圧縮された管体の内側の左右には小さな開口が形成され、この開口から増毛用毛髪材が抜けてしまう可能性が高い。特に、洗髪時のように、自毛や増毛用毛髪材が湯水により加温された場合には、上記圧縮され変形した管体が膨張する等により、より増毛用毛髪材の抜けが多くなることが懸念される。逆に、上記圧縮し変形させた後に形成される開口を可能な限り小さくし、上記増毛用毛髪材の抜けは減少させるために、径の小さな管体を使用することが考えられるが、このように、径の小さな管体を使用すると、内部に挿通させることができる自毛や増毛用毛髪材の数（本数）は大きく制約され、所定量の増毛用毛髪材を自毛に取り付ける作業は長時間必要となる。
【０００４】
そこで、本発明は、上述した従来の増毛用毛髪材の取付方法が有する課題を解決するために提案されたものであって、作業者に熟練が要求されることなく、簡単且つ短時間内に増毛用毛髪材を取り付けることができるとともに、洗髪時においても増毛用毛髪材が抜けることを有効に防止することができる新規な増毛用毛髪材の取付方法及び増毛用毛髪材取付具を提供することを目的とするものである。
【０００５】
【課題を解決するための手段】
本発明は、上記目的を達成するために提案されたものであって、第１の発明（請求項１記載の発明）は、増毛用毛髪材の取付方法に係るものであって、ゴム又は樹脂を主成分としてなり管状に成形された増毛用毛髪材取付具内に、該増毛用毛髪材取付具の一端側から自毛を挿通させる自毛挿通工程と、上記増毛用毛髪材取付具内に、該増毛用毛髪材取付具の他端側から増毛用毛髪材を挿通させる毛髪材挿通工程と、上記自毛挿通工程及び毛髪材挿通工程の後に、上記増毛用毛髪材取付具を加熱し該取付具を収縮させる加熱工程と、を含んでなるとともに、上記増毛用毛髪材取付具の内周面には、先端側が屈曲してなる多数の起毛が形成されてなることを特徴とするものである。
【０００６】
この第１の発明によれば、先ず、従来の増毛用毛髪材の取付方法のように、自毛を人工毛髪用繊維束に巻付ける工程や、自毛束の先端側及び前記人工毛髪用繊維束の両端側を前記交差部付近で編み合せる工程を経ることがなく、管体内に自毛と増毛用毛髪材とを挿通させるものであることから、作業者に熟練が要求されることがなく、簡単且つ短時間内に増毛用毛髪材を取り付けることができる。また、この発明では、自毛と増毛用毛髪材とが挿通された管体は、上記加熱工程により加熱されることにより収縮されることから、増毛用毛髪材の抜けを有効に防止することができる。さらに、この発明では、増毛用毛髪材取付具の内周面には、先端側が屈曲してなる多数の起毛が形成されてなることから、一旦増毛された人工毛髪が抜け落ちる危険性を有効に防止することができる。
【０００７】
なお、この第１の発明を構成する管体の素材の一つとして上げられるゴムとしては、少なくとも、加熱することにより、上記自毛や増毛用毛髪材が収束されるものであれば良く、例えば、フッ素ゴム，ＥＰＤＭ（エチレン−プロピレン−ジエンターポリマー）ゴム又はシリコンゴム等を用いることができる。また、樹脂としては、ポリオレフィン樹脂，ポリ塩化ビニール，弾性ネオプレン樹脂，フロロプラスチックカイナー樹脂，フロロプラスチックテフロン樹脂（テフロンはイー  アイ  デュポン  ドゥ  ヌムール  アンド  カンパニーの登録商標），ポリテトラフルオロエチレン樹脂等を用いることができる。また、上記起毛は、面状ファスナーを構成する雄材のように、先端側が屈曲されていることが必要であり、その屈曲の形状は、例えば、先端が該起毛の基端側を向くよう先端側がＵ字状の屈曲されたもの、Ｌ字状に屈曲されたものばかりではなく、起立した部位の先端又は中途部から枝部が形成されたものであっても良い。また、この起毛は、人工毛髪が抜かれる方向に力が作用した際に抵抗となるように、或る程度の剛性を有することが望ましいが、材料は特に限定されるものではない。
【０００８】
また、第２の発明（請求項２記載の発明）は、上記第１の発明において、前記増毛用毛髪材は、複数本の増毛用毛髪の一端が接着剤により収束されてなることを特徴とするものである。
【０００９】
この第２の発明では、増毛用毛髪材は、複数本の増毛用毛髪の一端が接着剤により収束されてなることから、先ず、管体の他端側から多数本の増毛用毛髪材を挿通させる前記毛髪材挿通工程を極めて簡単に行うことができ、また、前記加熱工程により増毛用毛髪材が取り付けられた後においては、該増毛用毛髪材を構成する個々の毛髪が抜け落ちる危険性を一層防止することができる。
【００１０】
また、第３の発明（請求項３記載の発明）は、上記第１又は第２の発明において、前記増毛用毛髪材取付具の内周面には、前記起毛が形成されてなる部位と、接着層が形成されてなる部位とを有してなることを特徴とするものである。
【００１１】
この第３の発明によれば、上記管体の内周面に形成された接着層及び起毛により、増毛用毛髪材を構成する個々の毛髪が抜け落ちる危険性をさらに一層防止することができる。すなわち、この第３の発明においては、起毛が形成された部位には接着層は形成されていないことから、増毛された後に、接着層が管体の内周面から剥離すると、増毛用毛髪材全体が脱落してしまう危険性があるが、この第３の発明によれば、上記起毛との抵抗により、こうした増毛用毛髪材の脱落を有効に防止することができる。因みに、増毛用毛髪材は、増毛用毛髪材取付具により強固に固定されている必要がある反面、取り外す際には可能な限り容易であり且つ自毛に悪影響を与えないことが望ましい。このことは、接着層（接着剤）を利用する場合であっても同じであるが、接着剤を使用して増毛した場合において、増毛用毛髪材を取り外す場合には、該接着剤に対応した溶剤を使用することになる。しかし、溶剤を利用する場合には、地毛を痛める危険性があることから、可能な限り溶剤を利用することなく増毛用毛髪材を取り外すことができる接着剤の使用が求められる。一方、こうした接着剤は、管体の内周面との接着性が良好ではなく、外部から力が作用することにより剥離する危険性がある。この第３の発明を構成する増毛用毛髪材取付具（又は後述する第４，第５又は第６の発明に係る増毛用毛髪材取付具）によれば、溶剤を利用することなく増毛用毛髪材を取り外すことができる接着剤を使用した場合であっても、増毛用毛髪材が脱落することを有効に防止することができる。
【００１２】
なお、上記管体の内周面に形成された接着層は、前述した加熱工程により可塑化する熱可塑性樹脂を素材とすることが好ましく、この熱可塑性樹脂としては、例えば、ポリアミド樹脂，ポリエチレンテレフタレート，ポリブチレンテレフタレート等のポリエステル樹脂、アクリロニトリル−スチレン共重合樹脂，アクリロニトリル−ブタジエン−スチレン樹脂，ポリカーボネート樹脂，塩化ビニルデン−塩化ビニル共重合体、共重合アクリロニトリル樹脂，ポリアミド−ポリエーテルブロック共重合樹脂等のポリアミド系熱可塑性エラストマー，スチレン−ブタジエンブロック共重合樹脂等のスチレン系熱可塑性エラストマーや、ポリプロピレン−エチレンプロピレンラバーブロック共重合樹脂等のポリオレフィン系熱可塑性エラストマー，ポリブタジエン系熱可塑性エラストマー，ポリエステル系熱可塑性エラストマー，或いはエチレン−酢酸ビニ系共重合体等の熱可塑性エラストマーの何れかより選ばれる重合体等を用いることができる。
【００１３】
また、第４の発明（請求項４記載の発明）は、増毛用毛髪材取付具に係るものであって、ゴム又は樹脂が主成分とされ管状に成形されてなるとともに、内側に自毛と増毛用毛髪材が挿通される管体と、この管体の内周面から該管体の中心方向に起立してなるとともに、先端は屈曲してなる多数の起毛と、を備え、上記管体は、加熱されることにより収縮することを特徴とするものである。
【００１４】
この第４の発明によれば、前記第１の発明と同じように、増毛用毛髪材の脱落を有効に防止することができる。なお、この第４の発明においては、起毛は、管体の内周面全体に形成されているものであっても、一部に上記起毛が形成されてなるものであっても良い。
【００１５】
また、第５の発明（請求項５記載の発明）は、上記第４の発明において、前記管体の内周面には、前記起毛が形成されている部位と、接着層が形成されている部位とを有してなることを特徴とするものである。
【００１６】
また、第６の発明（請求項６記載の発明）は、上記第５の発明において、前記起毛は前記管体の一端から他端に亘って形成されてなることを特徴とするものである。
【００１７】
上記第５の発明によれば、管体の内周全体に起毛又は接着層の何れか一方が形成されているものに比べて増毛用毛髪材の脱落を防止することができるとともに、該増毛用毛髪材を取り外す際に、溶剤を使用することのない接着剤を使用することができ、自毛への悪影響を有効に防止することができる。また、第６の発明によれば、管体の内周面に直接起毛を形成することなく、起毛が形成されたシートを貼付した場合であっても、管体の熱収縮性に悪影響を与えることがない。
【００１８】
【発明の実施の形態】
以下、本発明の一実施の形態に係る増毛用毛髪材の取付方法及び増毛用毛髪材取付具について、図面を参照しながら詳細に説明する。
【００１９】
この実施の形態に係る増毛用毛髪材の取付方法では、図１に示すように、増毛用毛髪材取付用チップ（以下、チップと言う。）１と、増毛用毛髪材２とを用意する。上記増毛用毛髪材取付用チップ１は、本発明に係る（本発明を構成する）増毛用毛髪材取付具である。上記チップ１は、管状（筒状）に成形されてなるものであって、図２に示すように、管体１１と、この管体１１の内周面に接着剤１２を介して接着された起毛シート１３と、この起毛シート１３の表面に多数形成された起毛１４とを備えてなるものである。上記管体１１は、ポリオレフィン樹脂を素材とするものであり、内径は、約５〜１０ｍｍ程度となされている。また、上記起毛シート１３は、可撓性を有するシート（符号は省略する。）と、このシートの表面に多数形成された起毛１４とから構成されている。なお、本実施の形態においては、この起毛シート１３は、面状ファスナーとして使用される雄材（起毛）が形成されたシートを転用したものであって、上記起毛１４の先端側中途部は、Ｕ字状に屈曲され先端は上記シート側（該起毛１３の基端側）を向いている。そして、この起毛シート１３は、図２に示すように、上記管体１１の内径の略半分に貼付されてなるものであって、図３に示すように、該起毛シート１３の長さは、管体１１の長さと同じ長さとされている。また、上記管体１１の内周面であって、上記起毛シート１３が貼付されていない部位には、接着層１５が形成されている。この接着層１５は、本実施の形態においては、上記起毛シート１３と管体１１の内周面とを接着する接着剤とは異なり、増毛用毛髪材２を取り外す際に溶剤を利用しない熱可塑性樹脂からなる接着剤である。
【００２０】
また、上記増毛用毛髪材２は、図１に示すように、約２０〜３０本の長尺な人毛（又は人工毛髪）からなる毛髪材本体２ａと、この毛髪材本体２ａの一端側が樹脂（接着剤）により収束されてなる収束部２ｂとから構成されている。なお、上記収束部２ｂの外径は、上記チップ１の内径よりも短い（約２〜７ｍｍ）ものとされている。
【００２１】
そこで、以下、増毛用毛髪材の取付方法について順を追って説明すると、先ず、頭部に生えた自毛３を数本（約４〜１０本）を、図４に示すように、収束し、この収束された自毛３を、図５に示すように、上記チップ１の一端側から挿通させる（自毛挿通工程）。なお、このように、収束した自毛３を、上記チップ１に挿通する際には、先端にフックが形成された図示しない挿通具を使用することにより簡単に行うことができる。すなわち、このフックを上記チップ１の他端側から挿通させ、上記収束された自毛３の中途部を掛止し、その後にこのフックをチップ１から引き抜くことにより、簡単に自毛３を挿通させることができる。
【００２２】
そして、上記自毛挿通工程が終了すると、次いで、上記チップ１の他端側から、図６に示すように、上記増毛用毛髪材２を挿通する（毛髪材挿通工程）。この増毛用毛髪材２を挿通する際においても、上記図示しない挿通具を使用することにより簡単に行うことができる。なお、この増毛用毛髪材２には、上記収束部２ｂが形成されていることから、上記チップ１の内径や該収束部２ｂの外径によっては、上記挿通具を使用することなく、手指により該チップ１に挿通することもできる。また、この毛髪材挿通工程は、上述したように、必ずしも、上記自毛挿通工程の後に行われる必要はなく、この毛髪材挿通工程の後に、上記自毛挿通工程を行っても良い。
【００２３】
そして、上記自毛挿通工程及び毛髪材挿通工程が終了すると、次いで、図示しないコテ又はアイロン等により、上記チップ１を加熱する。この加熱温度は、該チップ１の素材にも拠るが、約摂氏８０度〜１３０度とする。こうしたチップ１の加熱により、該チップ１は、図７に示すように、内径が約半分程度に収縮させられるとともに、該チップ１の内周面に形成された上記接着層が可塑化し、上記増毛用毛髪材２を構成する収束部２ｂに使用された樹脂（接着剤）も可塑化する。したがって、このチップ１内に挿通された上記自毛３及び増毛用毛髪材本体２ａは、図７又は図８に示すように、上記チップ１と両方の接着剤２ｃにより固定される。換言すれば、上記チップ１により、自毛３に上記増毛用毛髪材本体２ａが取り付けられる。そして、このとき、上記自毛３と増毛用毛髪材本体２ａとは、上記多数の起毛１４と起毛１４との間に入り込む。
【００２４】
したがって、上述した実施の形態に係る増毛用毛髪材の取付方法によれば、従来の増毛用毛髪材の取付方法のように、作業者に対して熟練が要求されることがなく、簡単且つ迅速に自毛に増毛用毛髪材を取り付けることができる。しかも、上述した方法では、管体として上述した構成に係るチップ１を使用していることから、該チップ１と自毛３及び増毛用毛髪材本体２ａとの間において隙間が生ずることがないので、洗髪時やブラッシングの際においても、個々の増毛用毛髪材本体２ａが抜け落ちる危険性がない。しかも、上述した方法では、増毛用毛髪材２の端部には接着剤による収束部２ｂが形成されているとともに、チップ１の内周面には接着層が形成されていることから、さらに個々の増毛用毛髪材本体（毛の一本一本）２ａが抜け落ちることがない。特に、上記チップ１には、多数の起毛１４が形成されていることから、増毛完了後における洗髪等により、上記接着層１５と管体１１の内周面とが剥離した場合であっても脱落することを有効に防止することができる。
【００２５】
なお、上述した工程により取り付けられた増毛用毛髪材２を自毛３から取り外す場合には、上記チップ１内にオイル（動物性オイル又は植物性オイル等）を流し込み、次いで、該チップ１をペンチやニッパ等により外側から揉みほぐし、上記接着層１５と管体１１の内周面とを強制的に剥離させるとともに、上記接着層１５を構成する接着剤（符号は省略する）を自毛３や増毛用毛髪材２から強制的に剥離させる。こうした作業により、上記オイルは、自毛３や増毛用毛髪材２の毛髪材本体２ａ１本１本の表面や管体１１の内周面に浸透する。そして、こうした作業が終了すると、上記自毛３から上記チップ１を取り外し、また、該チップ１から増毛用毛髪材２を取り外す。なお、自毛３に多少付着した接着剤は、洗髪剤により洗髪することにより洗い落とす。
【００２６】
このように、上述した増毛用毛髪材取付用チップ１を使用することにより、自毛３に対する増毛用毛髪材２を確実に固定することができ、増毛用毛髪材２の抜け，脱落を有効に防止することができるとともに、接着層１５を形成する接着剤は、該増毛用毛髪材２を取り除く際に溶剤を使用する接着剤を用いる必要がない。換言すれば、溶剤を用いる必要性のない接着剤を使用しても、確実に増毛用毛髪材２を安定した状態で固定することができ、該増毛用毛髪材２を取り外す際においては、自毛３を痛めることを有効に防止することができる。
【００２７】
なお、本発明に係る増毛用毛髪材取付具又は本発明を構成する増毛用毛髪材取付具は、上述した実施の形態に係る増毛用毛髪材取付用チップ１に限定されるものばかりではなく、例えば、図９に示す第２の実施の形態に係る増毛用毛髪材取付具２０のように、熱収縮性を有する管体２１の内周面に、多数の起毛２２が直接形成されたものであっても良い。この増毛用毛髪材取付具２０は、上記管体２１の内周面に、多数の起毛２２が形成された部位を有し、この部位は、該管体２０の内径の約半分を占めている。また、この管体２１には、接着層２３が形成されている。すなわち、この第２の実施の形態に係る増毛用毛髪材取付具２０では、起毛２２が形成されている部位と接着層２３が形成されている部位とが、それぞれ１：１の割合とされている。このように構成された増毛用毛髪材取付具２０による場合であっても、上記第１の実施の形態に係る増毛用毛髪材取付具１と同じ作用効果を実現することができる。
【００２８】
また、前記各実施の形態に係る増毛用毛髪材取付具１，２０では、起毛１４，２２が、管体１１，２１の一端から他端に亘って形成されているが、本発明を構成する起毛は、必ずしもこのように限定されるものではなく、図１０に示す第３の実施の形態に係る増毛用毛髪材取付具３０のように、リング状に形成されてなるものであっても良い。この第３の実施の形態に係る増毛用毛髪材取付具３０は、熱収縮性を有する管体３１の内周面に、多数の起毛３２がリング状に形成されている。これら多数の起毛３２は、上記管体３１の内周面に直接形成されてなるものである。こうした構成に係る増毛用毛髪材取付具３０による場合であっても、上記各実施の形態に係る増毛用毛髪材取付具１，２０と同じ作用効果を実現することができるとともに、より増毛用毛髪材の脱落を防止することができる。
【００２９】
また、前述した第２，第３の実施の形態に係る増毛用毛髪材取付具２０，３０のように、管体２１，３１の内周面に直接起毛２２，３２を形成することなく、第１の実施の形態に係る増毛用毛髪材取付具１のように、起毛シート１３を管体１１の内周面に貼付したものであっても、図１１に示す第４の実施の形態に係る増毛用毛髪材取付具４０のように、帯状に成形された起毛シート４２をそれぞれ平行に該管体４１の内周面に貼付したものであっても良い。この第４の実施の形態に係る増毛用毛髪材取付具４０は、熱収縮性を有する管体４１の内周面に、複数の起毛シート４２が貼付されてなるものであって、これらの起毛シート４２の表面には、多数の起毛４３が形成されている。また、上記各起毛シート４２は、上記管体４１の長さと同じ長さに成形され幅は短く、帯状とされてなるものであり、表面に多数形成された起毛４３のそれぞれの先端側中途部は屈曲されている。また、上記各起毛シート４２と起毛シート４２との間には、熱可塑性樹脂からなる接着層４４が形成されている。このように構成された増毛用毛髪材取付具４０によれば、管体４１の熱収縮性に大きく影響を与えず、また、より一層増毛用毛髪材の脱落を防止することができる。
【００３０】
【発明の効果】
上述した本発明の一実施の形態の説明からも明らかなように、本発明（請求項１記載の発明）に係る増毛用毛髪材の取付方法によれば、先ず、従来の増毛用毛髪材の取付方法のように、自毛を人工毛髪用繊維束に巻付ける工程や、自毛束の先端側及び前記人工毛髪用繊維束の両端側を前記交差部付近で編み合せる工程を経ることがなく、管体内に自毛と増毛用毛髪材とを挿通させるものであることから、作業者に熟練が要求されることがなく、簡単且つ短時間内に増毛用毛髪材を取り付けることができる。また、この発明では、自毛と増毛用毛髪材とが挿通された管体は、上記加熱工程により加熱されることにより収縮されることから、増毛用毛髪材の抜けを有効に防止することができる。さらに、この発明では、増毛用毛髪材取付具の内周面には、先端側が屈曲してなる多数の起毛が形成されてなることから、一旦増毛された人工毛髪が抜け落ちる危険性を有効に防止することができる。
【００３１】
また、第２の発明（請求項２記載の発明）では、増毛用毛髪材は、複数本の増毛用毛髪の一端が接着剤により収束されてなることから、先ず、管体の他端側から多数本の増毛用毛髪材を挿通させる前記毛髪材挿通工程を極めて簡単に行うことができ、また、前記加熱工程により増毛用毛髪材が取り付けられた後においては、該増毛用毛髪材を構成する個々の毛髪が抜け落ちる危険性を一層防止することができる。
【００３２】
また、第３の発明（請求項３記載の発明）によれば、上記管体の内周面に形成された接着層及び起毛により、増毛用毛髪材を構成する個々の毛髪が抜け落ちる危険性をさらに一層防止することができる。すなわち、この第３の発明においては、起毛が形成された部位には接着層は形成されていないことから、増毛された後に、接着層が管体の内周面から剥離すると、増毛用毛髪材全体が脱落してしまう危険性があるが、この第３の発明によれば、上記起毛との抵抗により、こうした増毛用毛髪材の脱落を有効に防止することができる。
【００３３】
また、第４の発明（請求項４記載の発明）に係る増毛用毛髪材取付具によれば、前記第１の発明と同じように、増毛用毛髪材の脱落を有効に防止することができる。
【００３４】
また、第５の発明（請求項５記載の発明）によれば、管体の内周全体に起毛が形成されているものに比べて増毛用毛髪材の脱落を防止することができるとともに、該増毛用毛髪材を取り外す際に、溶剤を使用することのない接着剤を使用することができ、自毛への悪影響を有効に防止することができる。また、第６の発明によれば、管体の内周面に直接起毛を形成することなく、起毛が形成されたシートを貼付した場合であっても、管体の熱収縮性に悪影響を与えることがない。
【図面の簡単な説明】
【図１】増毛用毛髪材取付用チップと増毛用毛髪材とを示す斜視図である。
【図２】第１の実施の形態に係る増毛用毛髪材取付用チップを示す正断面図である。
【図３】図２に示す増毛用毛髪材取付用チップを示す側断面図である。
【図４】自毛が収束された状態を示す斜視図である。
【図５】収束された自毛に増毛用毛髪材取付用チップが挿通された後の状態を示す斜視図である。
【図６】図５に示す状態から増毛用毛髪材が挿通された後の状態を示す斜視図である。
【図７】自毛及び増毛用毛髪材が挿通された後に増毛用毛髪材取付用チップが収縮した後の状態を示す断面図である。
【図８】頭部の複数箇所において増毛用毛髪材が取り付けられた状態を示す斜視図である。
【図９】第２の実施の形態に係る増毛用毛髪材取付具を示す正断面図である。
【図１０】第３の実施の形態に係る増毛用毛髪材取付具を示す斜視図である。
【図１１】第４の実施の形態に係る増毛用毛髪材取付具を示す斜視図である。
【符号の説明】
１    増毛用毛髪材取付用チップ
２    増毛用毛髪材
２ａ    毛髪材本体
２ｂ    収束部
３    自毛
１１    管体
１４    起毛
１５    接着層
２０    増毛用毛髪材取付具
２１    管体
２２    起毛
３０    増毛用毛髪材取付具
３１    管体
３２    起毛
４０    増毛用毛髪材取付具
４３    起毛
４４    接着層
【図１】
2005036336.tif 000003
【図２】
2005036336.tif 000004
【図３】
2005036336.tif 000005
【図４】
2005036336.tif 000006
【図５】
2005036336.tif 000007
【図６】
2005036336.tif 000008
【図７】
2005036336.tif 000009
【図８】
2005036336.tif 000010
【図９】
2005036336.tif 000011
【図１０】
2005036336.tif 000012
【図１１】
2005036336.tif 000013